(57)【特許請求の範囲】
【請求項１】
記録媒体から読み出されたアナログ再生信号の周波数特性に整合するように、４次の伝達関数特性であるＰＲ（ａ，ｂ，ｃ，ｂ，ａ）の形で表されるパーシャルレスポンス特性を有する信号処理装置において、
（ａ，ｂ，ｃ，ｂ，ａ）を（２，３，２，３，２）、（２，３，４，３，２）、（３，４，５，４，３）又は（１，１，２，１，１）のいずれかとした信号処理装置。
【発明の詳細な説明】
【０００１】
【発明の属する技術分野】
本発明は、光ディスク、磁気ディスク等の記録媒体から読み出されたアナログ再生信号の処理に適した信号処理装置に関するものである。
【０００２】
【従来の技術】
近年、ＣＤ−Ｒ／Ｗ（Compact Disc Re-Writable）、ＤＶＤ（Digital Versatile Disc）等が、リムーバブルかつ高密度の光ディスクとして広く活用され、記録密度が年々高くなってきている。磁気ディスクでは垂直磁気記録が着目され、１００Gbit／(inch)2に迫る高い面記録密度を達成できたとの報告がある（日経エレクトロニクス・２０００年９月２５日号（第７７９号）、第２０４頁〜第２１１頁）。
【０００３】
記録媒体に高密度記録された情報を誤ることなく再生するために、現在までに様々な信号処理方式の検討がなされてきた。具体的な例を挙げると、ＰＲＭＬ（Partial Response Maximum Likelihood）、ＤＦＥ（Decision Feedback Equalizer）、ＴＣＰＲ（Trellis Coding Partial Response）等があり、例えばハードディスク装置用の信号処理ＬＳＩに採用されてきた。
【０００４】
ＰＲＭＬは、パーシャルレスポンス（ＰＲ）方式と、最尤（ＭＬ）復号法であるビタビ復号法とを採用したものである。パーシャルレスポンス方式は、符号間干渉（隣り合ったデータ、再生信号同志の干渉）を積極的に利用してデータ再生を行う信号処理方式である。ビタビ復号法は、最尤データ系列推定方式とも言われ、時系列でみて過去のデータを用いて最も確からしいデータ系列を再生する方式である。
【０００５】
【発明が解決しようとする課題】
従来、３次の伝達関数特性であるＰＲ（ａ，ｂ，ｂ，ａ）の形で表されるパーシャルレスポンス特性を有する信号処理装置が使用されてきた。具体的には、ＰＲ（３，４，４，３）特性である。しかしながら、この特性は記録媒体から読み出されたアナログ再生信号の周波数特性に整合したものとは言えなかった。
【０００６】
本発明の目的は、記録媒体からの情報の読み出しに供される信号処理装置の性能を改善することにある。
【０００７】
【課題を解決するための手段】
上記目的を達成するため、本発明に係る信号処理装置は、記録媒体から読み出されたアナログ再生信号の周波数特性に整合するように、４次の伝達関数特性であるＰＲ（ａ，ｂ，ｃ，ｂ，ａ）の形で表されるパーシャルレスポンス特性を有することとし、（ａ，ｂ，ｃ，ｂ，ａ）を（２，３，２，３，２）、（２，３，４，３，２）、（３，４，５，４，３）又は（１，１，２，１，１）のいずれかとしたものである。このようにして信号処理装置の特性を再生信号特性に近づけることで、再生信号の強調を特に行わなくても簡単に等化できる結果、信号処理装置の回路規模の低減にもつながる。
【０００８】
【発明の実施の形態】
図１は、本発明の実施形態に係る信号処理装置を利用した光ディスク記録再生装置におけるデータフローを示している。図１において、１０はエンコーダ（記録変調器）、２０は光ディスク（記録媒体）、３０は４次の伝達関数特性であるＰＲ（ａ，ｂ，ｃ，ｂ，ａ）特性を持つ波形等化器、４０はビタビ復号器（最尤復号器）、５０はデコーダ（記録復調器）である。波形等化器３０は、アナログフィルタ３１と、ＡＤＣ（アナログ・ディジタル変換器）３２と、ＦＩＲフィルタ３３とで構成されている。
【０００９】
図１によれば、光ディスク２０から読み出された再生信号は、再生過程で付加された雑音をアナログフィルタ３１にて除去する。雑音除去された波形に対してＡＤＣ３２にてアナログ信号をディジタル信号へ変換する。変換されたディジタル信号を適応等化係数に基づきＦＩＲフィルタ２３にて波形等化処理が行われ、ビタビ復号器４０にて誤り訂正が行われる。誤り訂正されたデータはデコーダ５０に入力され、ユーザデータとして出力される。
【００１０】
図２は、光ディスクの再生信号特性と、従来のＰＲ（３，４，４，３）特性と、本発明に係るＰＲ（２，３，２，３，２）特性とを対比して示している。ここでは、パラメータａ，ｂ，ｃの関係がａ＝ｃ＜ｂであって、（ａ，ｂ，ｃ，ｂ，ａ）を（２，３，２，３，２）としている。図２から明らかなように、周波数特性の整合性について見ると、ＰＲ（３，４，４，３）特性よりＰＲ（２，３，２，３，２）特性の方が再生信号特性に近いことが分かる。
【００１１】
図３は、光ディスクの再生信号特性と、従来のＰＲ（３，４，４，３）特性と、本発明に係るＰＲ（２，３，４，３，２）特性、ＰＲ（３，４，５，４，３）特性、ＰＲ（１，２，３，２，１）特性及びＰＲ（１，１，２，１，１）特性とを対比して示している。ここでは、パラメータａ，ｂ，ｃの関係がａ≦ｂ＜ｃであって、（ａ，ｂ，ｃ，ｂ，ａ）を（２，３，４，３，２）、（３，４，５，４，３）、（１，２，３，２，１）又は（１，１，２，１，１）のいずれかとしている。図３から明らかなように、周波数特性の整合性について見ると、ＰＲ（２，３，４，３，２）特性、ＰＲ（３，４，５，４，３）特性、ＰＲ（１，２，３，２，１）特性及びＰＲ（１，１，２，１，１）特性のいずれもがＰＲ（３，４，４，３）特性より再生信号特性に近いことが分かる。
【００１２】
【発明の効果】
以上説明してきたとおり、本発明によれば、記録媒体から読み出されたアナログ再生信号の周波数特性に整合するように、４次の伝達関数特性であるＰＲ（ａ，ｂ，ｃ，ｂ，ａ）の形で表されるパーシャルレスポンス特性を有し、（ａ，ｂ，ｃ，ｂ，ａ）を（２，３，２，３，２）、（２，３，４，３，２）、（３，４，５，４，３）又は（１，１，２，１，１）のいずれかとした信号処理装置の構成を採用したので、信号処理性能を改善することができる。
【００１３】
また、信号処理装置の特性を再生信号特性に近づけることで、再生信号の強調を特に行わなくても簡単に等化できる結果、信号処理装置の回路規模の低減にもつながる。
【図面の簡単な説明】
【図１】本発明の実施形態に係る信号処理装置を利用した光ディスク記録再生装置におけるデータフローを示すブロック図である。
【図２】光ディスクの再生信号特性と、従来のＰＲ（３，４，４，３）特性と、本発明に係るＰＲ（２，３，２，３，２）特性とを対比して示す周波数特性図である。
【図３】光ディスクの再生信号特性と、従来のＰＲ（３，４，４，３）特性と、本発明に係るＰＲ（２，３，４，３，２）特性、ＰＲ（３，４，５，４，３）特性、ＰＲ（１，２，３，２，１）特性及びＰＲ（１，１，２，１，１）特性とを対比して示す周波数特性図である。
【符号の説明】
１０  エンコーダ（記録変調器）
２０  光ディスク（記録媒体）
３０  ＰＲ（ａ，ｂ，ｃ，ｂ，ａ）特性を持つ波形等化器
３１  アナログフィルタ
３２  ＡＤＣ（アナログ・ディジタル変換器）
３３  ＦＩＲフィルタ
４０  ビタビ復号器（最尤復号器）
５０  デコーダ（記録復調器）
【図１】
0003696130.tif 000002
【図２】
0003696130.tif 000003
【図３】
0003696130.tif 000004